(57)【要約】【課題】パンフレットの種類が多数であり、各種類のパンフレットの量に大きな差があっても、スペース的に無駄のない管理収納ができるパンフレット管理収納ラックを提供すること。【解決手段】金属板からなる天板１０、下板２０、左右の側板３０および背板４０により収納部を形成し、該収納部内に縦に金属板の仕切板５０を設けて上記収納部を幅方向に分割し、各分割収納部に上下方向にほぼ６０mmないしそれ以下の間隔をおいて、金属薄板の周縁に折返し部６１を形成した複数の棚板６０を差し入れ抜き出し可能に設ける。【選択図】        図１
0003107615.tif 000002
【実用新案登録請求の範囲】
【請求項１】
天板、下板、左右の側板および背板により収納部を形成し、該収納部内に縦に仕切板を設けて上記収納部を幅方向に分割し、各分割収納部に上下方向にほぼ６０mmないしそれ以下の間隔で複数の棚板を差し入れ抜き出し可能に設けてなるパンフレット類管理収納ラック。
【請求項２】
床面に設置した状態における上記収納部の上端の高さを１５００mmないし１８００mmに設定し、
上記棚板の上下間隔を４０mmないし６０mmに設定した請求項１に記載のパンフレット類管理収納ラック。
【請求項３】
上記天板、下板、側板、背板および棚板を金属板で構成し、上記棚板は周縁に折返し部を形成した請求項１または２に記載のパンフレット類管理収納ラック。
【考案の詳細な説明】
【技術分野】
【０００１】
本考案は、在庫のパンフレット類を管理収納するラックに関するものである。
【背景技術】
【０００２】
多種類のパンフレット、カタログ、資料等（以下、総称してパンフレットという）を整理して管理収納するパンフレット管理収納ラックとして、天板、下板、左右の側板および背板によりオープン式の収納部を形成し、収納部に縦に仕切板を設けて収納部を幅方向に分割して、各分割収納部に上下に所定の間隔で複数の棚板を設けたものがある。一般に棚板は棚受け金具を用いて支持される（例えば特許文献１参照。）。
【０００３】
パンフレット管理収納ラックでは、パンフレットの種類によって管理収納する量（枚数）に差があることから、上下の棚板間の間隔に差をもたせ、収納部の一部で間隔を広くし、一部で間隔を狭くした構造のものがある。
【特許文献１】特開２０００−２３６９５７号公報
【考案の開示】
【考案が解決しようとする課題】
【０００４】
しかしながら、旅行会社に例をとれば、国内、国外の各旅行先についてパンフレットを準備し、かつ季節によってパンフレットの内容を変え、また旅行先の人気度によって準備するパンフレット量は数十枚から数百枚にわたり大きな差がある。収納部の棚板間の収納スペースを部分的に変えても、パンフレットの種類や量差に対応できず、一部ではパンフレットを一つの収納スペースに収納しきれず、複数の収納スペースを使用したり、逆に他の一部では収納スペースに余り空間が生じたりしてスペース的に不経済である。
【０００５】
そこで本考案はパンフレットの種類が多数であり、各種類の量に大きな差があっても、スペースの無駄なく管理収納できるパンフレット管理収納ラックを提供することを課題としてなされたものである。
【課題を解決するための手段】
【０００６】
本考案は、天板、下板、左右の側板および背板により収納部を形成し、該収納部内に縦に仕切板を設けて上記周の鵜部を幅方向に分割し、各分割収納部に上下方向にほぼ６０mmないしそれ以下の間隔で複数の棚板を差し入れ抜き出し可能に設けてなる（請求項１）。棚板間の収納スペースを６０mmないしそれ以下に設定したから、例え収納するパンフレットの量が少なくても大きな余り空間は生じない。
【０００７】
床面に設置した状態における上記収納部の上端の高さを１５００mmないし１８００mmに設定し、上記棚板の上下間隔を４０mmないし６０mmに設定する（請求項２）。収納部の上端高さを、管理者がパンフレットを容易に出し入れできる高さ限度の１５００mmないし１８００mmとした。また棚板間の収納スペースの下限はパンフレットの出し入れ作業性から４０mmとした。
【０００８】
上記天板、下板、側板、背板および棚板を金属板で構成し、上記棚板は周縁に折返し部を形成した（請求項３）。棚板の周縁に折返し部を形成したことで、棚板の板厚を薄くしても、棚板の強度、剛性が確保される。
【考案の効果】
【０００９】
本考案のパンフレット管理収納ラックは、パンフレットの種類が多く、かつ各種類によりパンフレット量に大きな差があっても、無駄なスペースなく、パンフレットを管理収納することができる。
【考案を実施するための最良の形態】
【００１０】
図１および図２に示すように、パンフレット管理収納ラック（以下、単に収納ラックという）Ｒは、天板１０、下板２０、左右の側板３０および背板４０とで前方へ向かって開口する縦長長方形状の箱型に形成してある。収納ラックＲ内のオープン式の収納部には、幅方向に等間隔おいて複数（図１に示す本実施形態では３つ）の仕切板５０が組付けてあり、上記収納部を幅方向に分割している。
【００１１】
収納ラックＲの天板１０は金属板を成形加工した厚みの薄い閉断面構造をなし、天板１０はその後縁が金属板からなる背板４０の上縁に沿って溶接結合してある。下板２０は下面が開口する中空構造の金属箱体で構成してあり、後面が背板４０の下縁に沿って溶接結合してある。収納ラックＲの天板１０および下板２０間の収納部の縦寸法（図１のＨ）は約１７７０mmに設定してある。
【００１２】
左右の両側板３０は左右対称な構造で、図１および図３に示すように、向かって左側の側板３０を中心に説明し、右側の説明を省略する。側板３０は、前縁が断面ほぼＵ字状をなすように金属板を前後方向に屈曲し、外壁部３１と内壁部３２とで中空の２層板状構造をなす。側板３０の後縁は、外壁部３１の後縁と、内壁部３２の後縁とが若干間隔をおいて離間しており、背板４０の背面側へ屈曲する外壁部３１後縁の溶接フランジ３３を背板４０の側縁の背面に沿って縦に溶接結合するとともに、内壁部３２後縁の溶接フランジ３４を背板４０の側縁の表面に沿って縦に溶接結合して、側板３０は背板４０とで閉断面を構成するように組付けてある。側板３０は、その上縁を天板１０の側縁に沿って溶接結合するとともに、下縁を下板２０の側面に沿って溶接結合して天板１０の側縁と下板２０の側面との間を上下に架けわたすように組付けてある。このように収納ラックＲは、天板１０および左右の側板３０を閉断面構造とし、かつ下板２０を箱体で構成したので、これらが骨格となってラック全体の剛性が確保される。
【００１３】
図３および図４に示すように、側板３０には、内壁部３２の前後方向中間位置に、板面を収納部内へ向けて若干に張り出すようにした凸部３５が形成してある。凸部３５はラック内の周の収納部の縦方向全長にわたって形成してあり、凸部３５の前後寸法は、側板３０の前後長の５分の３程度である。
【００１４】
図１ないし図４に示すように、複数（３つ）の仕切板５０は同一構造をなし、仕切板５０は前縁が断面ほぼＵ字状をなすように金属板を前後方向に屈曲し、左右一対の側壁部５１を有する中空の２層構造をなす。仕切板５０は、左右の側壁部５１の各後縁が若干の間隔をおいて離間しており、各側壁部５１の後縁の溶接フランジ５２をそれぞれ背板４０の表面に沿って縦方向に溶接結合して、背板４０とで閉断面を構成するように組付けてある。また、仕切板５０の両側壁部５１の板面には、側板３０の内壁部３２の凸部３５に対応して、各側壁部５１の板面を収納部側へ若干張り出すように形成した凸部５３が設けてある。
【００１５】
仕切板５０の縦方向の全長は天板１０と下板２０との間の収納部の縦寸法とほぼ同じとしてある。仕切板５０は、その上縁を天板１０の下面に溶接結合するとともに下縁を下板２０の上面に溶接結合して、天板１０および下板２０間を上下方向に架けわたし、各仕切板５０は収納部を幅方向に均等に仕切って収納部を幅方向に４分割した分割収納部を形成している。各仕切板５０によって仕切られた各分割収納部はその最小幅寸法（図１のＷ）を２２０mmとし、かつ奥行き寸法（図２のＤ）を約３１０mmとし、Ａ４用紙サイズのパンフレットを収納するのに最適な寸法に設定してある。
【００１６】
側板３０の凸部３５と仕切板５０の凸部５３にはそれぞれ、相対向する位置に棚板６０を着脱可能に保持する溝状のスリット３６，５４が複数形成してある。スリット３６，５４は、各凸部３５，５３の前後方向に沿って水平に形成してあり、かつ凸部３５，５３の前後方向全長にわたって設けてある。各スリット３６，５４の前端は各凸部３５，５３の前端の段差を貫通して前方へ開口しており、後端は各凸部３５，５３の後端の段差を貫通して後方へ開口している。各スリット３６，５４の溝幅（上下幅）は約２mmとしてある。スリット３６，５４は上下方向に約５０mmの均等な間隔（図１のＳ）をおいて凸部３５，５３全体に形成してある。
【００１７】
図１ないし図６に示すように、棚板６０は厚さ約０．８mmの金属板で構成してあり、外縁全周に端縁を背面側へ折り返した折返し部６１が形成してあり、これにより棚板６０の強度、剛性が強化してある。棚板６０の前後長は仕切板５０の前後長とほぼ同一で、横幅は相対向する側板３０の一般部と仕切板５０の一般部との間隔とほぼ同じで、相対向する凸部３５，５３同士の間隔よりも若干大きくしてある。
【００１８】
棚板６０は、左右の両側縁を相対向する側板３０の凸部３５のスリット３６と仕切板５０の凸部５３のスリット５４に前方より差し入れ、両スリット３６，５４に着脱可能に支持されて仕切板５０により仕切られた分割収納部を上下に仕切って収納スペースを構成する。相対向する仕切板５０間の分割収納部では、棚板６０の両側縁を両仕切板５０のスリット５４に前方より差し入れて両スリット５４により支持される。
【００１９】
本実施形態の収納ラックＲによれば、収納部を縦仕切り壁５０により幅方向に分割して複数の分割収納部を形成するとともに、各分割収納部に多数の棚板６０を上下５０mm間隔で設置可能とし、棚板６０により上下に仕切られた多数の収納スペースを形成したので多種類のパンフレットを管理収納するのに好適である。収納スペースは最高部位でもその高さが１７７０mmであり、管理者の手が充分に届く範囲なので、パンフレットを容易に出し入れできる。
【００２０】
また棚板６０を着脱可能としたので、収納するパンフレットの枚数に応じて棚板６０を抜き差しすることにより、収納スペースの上下寸法を自由に調整できる。例えば、枚数の多いパンフレットを収納する場合には、棚板６０をはずして収納スペースの上下方向に拡張することにより、一か所の収納スペースにまとめで収納することができる。一方、収納するパンフレットの量が少なくても棚板６０を最小間隔で設置するれば、大きな余り空間ができず、無駄なスペースをなくすことができる。更に棚板６０を薄肉としたので、収納スペースの確保に有利である。尚、棚板６０は外縁全周に折返し部６１を形成したので充分な強度と剛性が確保されている。また従来構造のように棚板を支持するのに棚受け金具を用いない分、多数の棚板を設けても低コストですむ。
【図面の簡単な説明】
【００２１】
【図１】本考案のパンフレット類管理収納ラックの正面図である。
【図２】図１のII−II線に沿う縦断面図である。
【図３】図１のIII −III 線に沿う横断面図である。
【図４】上記パンフレット類管理収納ラックの一部を拡大した正面図である。
【図５】上記パンフレット類管理収納ラックに用いる棚板の一部断面とした斜視図である。
【符号の説明】
【００２２】
Ｒ  パンフレット類管理収納ラック
１０  天板
２０  下板
３０  側板
４０  背板
５０  仕切板
６０  棚板
【図１】
0003107615.tif 000003
【図２】
0003107615.tif 000004
【図３】
0003107615.tif 000005
【図４】
0003107615.tif 000006
【図５】
0003107615.tif 000007